(57)【要約】【課題】防音壁面に確実に部材を取り付けることができるもので、コストが低く、また一旦取り外しても再利用が可能である防音壁用部材取付金具を提供する。【解決手段】中空部材１０の突起部２と鍔部３とにより第一板状部５１及び第二板状部５２を挟むことで確実に固定することができ、また一方の側からの作業のみで取り付けが可能となるが、中空部材１０と中子体７とを用いるのみで取り付けが可能でコストは低く抑えることができ、また中空部材１０の突起部２が弾性を有して収縮可能となされていることで、取り付けても中子体７を外すことで突起部７を収縮させて取付孔５１、６１から取り外すことが可能であり、一旦取り外しても再利用が可能となり得る。【参照図】        図３【特許請求の範囲】
【請求項１】
防音壁面を構成する第一板状部と、部材を構成する第二板状部とを固定するものであって、筒状の本体の両端に該本体より幅広となされた鍔部及び突起部が設けられて断面略Ｈ型となされ、前記本体、鍔部及び突起部には上下に同径となされた中空部が設けられ、少なくとも前記突起部が弾性を有すると共に、前記突起部は前記中空部により前記本体の幅以下に収縮可能となされた中空部材と、前記中空部に挿入される中子体とを備え、前記第一板状部及び第二板状部に前記本体と略同一の直径の貫通する取付孔がそれぞれ穿設されると共に前記第一板状部及び第二板状部のそれぞれの取付孔が重ね合わされて、該取付孔に前面側から前記突起部が収縮されて背面側に挿通された後、前記中空部に前記中子体が挿入されることで、前記突起部及び前記本体の収縮が抑えられると共に、前記突起部と前記鍔部とにより前記第一板状部及び第二板状部を挟んで固定できるようになされていることを特徴とする防音壁用部材取付金具。
【請求項２】
前記中空部は、内面にねじ山が螺刻され、更に前記中子体は前記ねじ山に螺着可能なボルトとなされ、前記中空部と前記中子体とが螺着されることを特徴とする請求項１に記載の防音壁用部材取付金具。
【請求項３】
前記鍔部は、直線状の面取り部が前記中空部を挟んで略平行に設けられ、該面取り部に当接されて前記ボルトの頭部を受けるボルト受け金具が設けられていることを特徴とする請求項２に記載の防音壁用部材取付金具。
【発明の詳細な説明】
【技術分野】
【０００１】
本発明は、防音壁面を構成する防音パネル、支柱、笠木、外装板等に対して部材を取り付けるための部材取付金具に関するものである。
【背景技術】
【０００２】
従来、防音壁面に対して部材を取り付けるには、とりわけ既設の壁面に対しての場合、壁面の片面からのみの取付方法が必要となり、クリップ、リベット止め等の方法が用いられてきていたが、部材の取り付けの確実性や取り付け、取り外しの利便性に問題があり、最近では特許文献１の図７〜図９に示される如くワンサイドボルトを用いた取付方法が用いられる場合がある。
【０００３】
【特許文献１】特願２０００−２６５４２１号公報
【発明の開示】
【発明が解決しようとする課題】
【０００４】
しかしながら、ワンサイドボルトは構造が複雑でコストが高く、また専用工具が必要で作業性に優れるものではなく、更に一旦取り外してしまうと再利用が不可能で、部材の取り付けや取り外しを頻繁に繰り返すような箇所に用いると、その都度別のボルトが必要となり、材料及びコストが嵩む場合がある。
【０００５】
本発明は上記の如き課題に鑑みてなされたものであり、防音壁面に確実に部材を取り付けることができるもので、コストが低く、また一旦取り外しても再利用が可能である防音壁用部材取付金具を提供せんとするものである。
【課題を解決するための手段】
【０００６】
上記目的を達成するため、本発明は以下のような構成としている。すなわち、本発明に係わる防音壁用部材取付金具は、防音壁面を構成する第一板状部と、部材を構成する第二板状部とを固定するものであって、筒状の本体の両端に該本体より幅広となされた鍔部及び突起部が設けられて断面略Ｈ型となされ、前記本体、鍔部及び突起部には上下に同径となされた中空部が設けられ、少なくとも前記突起部が弾性を有すると共に、前記突起部は前記中空部により前記本体の幅以下に収縮可能となされた中空部材と、前記中空部に挿入される中子体とを備え、前記第一板状部及び第二板状部に前記本体と略同一の直径の貫通する取付孔がそれぞれ穿設されると共に前記第一板状部及び第二板状部のそれぞれの取付孔が重ね合わされて、該取付孔に前面側から前記突起部が収縮されて背面側に挿通された後、前記中空部に前記中子体が挿入されることで、前記突起部及び前記本体の収縮が抑えられると共に、前記突起部と前記鍔部とにより前記第一板状部及び第二板状部を挟んで固定できるようになされていることを特徴とするものである。
【０００７】
また前記中空部は、内面にねじ山が螺刻され、更に前記中子体は前記ねじ山に螺着可能なボルトとなされ、前記中空部と前記中子体とが螺着されることを特徴とするものである。
【０００８】
また前記鍔部は、直線状の面取り部が前記中空部を挟んで略平行に設けられ、該面取り部に当接されて前記ボルトの頭部を受けるボルト受け金具が設けられていることを特徴とするものである。
【発明の効果】
【０００９】
請求項１に記載の本発明に係わる防音壁用部材取付金具によれば、中空部材の突起部と鍔部とにより第一板状部及び第二板状部を挟むことで第一板状部及び第二板状部を確実に固定することができ、また一方の側からの作業のみで取り付けが可能となるが、中空部材と中子体とを用いるのみで取り付けが可能でコストは低く抑えることができ、また中空部材の突起部が弾性を有して収縮可能となされていることで、取り付けても中子体を外すことで突起部を収縮させて取付孔から取り外すことが可能であり、一旦取り外しても再利用が可能となり得る。
【００１０】
また請求項２の発明によれば、中子体が中空部に螺着できることで、取り付け後の中子体の外れる恐れを格段に小さくすることができ好ましい。
【００１１】
また請求項３の発明によれば、鍔部に設けられた面取り部に当接するようにボルト受け金具を設けておくことで、ボルトの螺着時にボルトと中空部材とが共回りすることがなく、また奥まった場所に取付孔がある場合でも中空部材の共回り防止が容易なものとなり好ましい。
【発明を実施するための最良の形態】
【００１２】
本発明に係わる最良の実施の形態について、図面に基づき以下に具体的に説明する。
図１は、本発明に係わる防音壁用部材取付金具の、中空部材の一例を示すもので、イ）は斜視図、ロ）はイ）の正面からの側面図、ハ）はイ）の側面からの側面図である。まずイ）において、中空部材１０はアルミニウム板の折り曲げ加工により一体に形成され、円筒状の本体１の下端及び上端には、それぞれ断面逆三角形の突起部２、周縁部が下方に向かって折り曲げられた鍔部３が設けられ、突起部２は相対向する二ヶ所に分かれて合計で全周の三分の一程度に亘って設けられている。上端の鍔部３から下端の突起部２までは、中子体を挿入する内面にねじ山４１が螺刻された中空部４が設けられている。更に鍔部３には、直線状の面取り部３１が中空部４を挟んで略平行に設けられている。
【００１３】
ロ）において、正面から見た通常の状態では、突起部２及び鍔部３は本体１よりも広幅となされており、突起部２と鍔部３との間で板状体が挟持可能となされている。ハ）に示す如く、突起部２の両脇には、中空部４に通じ、突起部２よりやや上方まで延長されて可動溝２１が刻設されており、可動溝２１に挟まれた突起部２とその上方の本体１が弾性体であるアルミニウム板を用いて形成されていることで、中空部４に中子体が挿入されていない状態では突起部２は内側に収縮されて容易に本体１と同じ程度の幅となることができる。
【００１４】
図２は、本発明に係わる防音壁用部材取付金具を適用する防音壁面及び取付部材の一例を示す説明図である。防音壁面は、防音壁を構成する防音パネルＰの前面板Ｐ１であり、防音パネルＰは極一般的に用いられる「統一型吸音板」であり、その前面板Ｐ１は約１ｍｍ程度の厚みのアルミニウム板である。前面板Ｐ１の中央部が第一板状部５となされ、第一板状部５を貫通して二ヶ所に取付孔５１が穿設されている。取付部材は、道路のカーブ等において矢印記号を用いて運転者の視線を誘導する視線誘導標識Ｈであり、標識部Ｈ１と角度を付けて厚さ約２ｍｍのアルミニウム板である第二板状部６が一体に設けられており、第二板状部６を貫通して同じく二ヶ所に取付孔６１が穿設されている。取付孔５１及び６１は同じ間隔で穿設されて重ね合わせることが可能となされており、それぞれの二ヶ所の取付孔５１及び６１を重ね合わせた状態で中空部材１０を用いて、防音壁面に取付部材を取り付けることができる。
【００１５】
図３は、図２に示した防音パネルＰに対する視線誘導標識Ｈの、取り付けにおける板状部の断面を示す断面図である。まずイ）において、第一板状部５及び第二板状部６に貫通して穿設された取付孔５１及び６１が重ね合わされる。取付孔５１及び６１は同じ間隔となされると共に同じ孔径となされているが、中空部材１０の本体１が挿通可能で、固定後の突起部２及び鍔部３の幅より大きくなければ違う孔径としておいてもよい。その取付孔５１及び６１に、突起部２から中空部材１０が嵌入される。
【００１６】
中空部材１０が取付孔５１及び６１に嵌入される際には、ロ）に示す如く突起部２の両脇に刻設された可動溝２１により突起部２は内側に収縮可能となされており、特に治具等を必要とすることなく上方から押し込むのみで突起部２が内側に収縮し、突起部２は板状部５の背面側に挿通される。本体１や突起部２は弾性体であるから、突起部２が挿通された後は上方から押し込む前と同じ形状に戻り、突起部２の幅は取付孔５１及び６１より大きくなることで突起部２と鍔部３とにより第一板状部５及び第二板状部６が挟まれた状態となる。
【００１７】
その状態で、ハ）に示す如く中空部材１０の中空部４に中子体７が挿入されて防音壁用部材取付金具１００が形成される。中子体７はボルトで、中空部４の内面に刻設されたねじ山４１に螺着可能なものであり、中子体５が中空部４に挿入されることで本体１及び突起部２の収縮が抑えられると共に、突起部２と鍔部３とにより第一板状部５及び第二板状部６が挟まれて固定される。これら全ての作業が、第二板状部６側から行うことが可能であり、第一板状部５側に作業者の手や作業工具が入りにくい場合でも取付作業は容易なものとなる。また中子体７は中空部４のねじ山４１と螺着されていることで、取り付け後に第一板状部５及び第二板状部６に風荷重や振動等の外力が加わった場合でも、中子体７が単に挿入されている場合などと較べ、中子体７が中空部４からの外れる恐れは格段に小さいものとなり、第一板状部５から第二板状部６が外れる恐れを極めて小さいものとできる。中子体７の螺着の際には、鍔部３に設けられた面取り部３１にスパナ等を当接させておけば、中空部材１０の共回りを防止することができ好ましい。
【００１８】
更には、視線誘導標識Ｈが不要となったり、清掃等のメンテナンスが必要となり第一板状部５から第二板状部６を取り外す場合でも、防音壁用部材取付金具１００の中子体７を中空部４から外し、ドライバー等を中空部４に挿入して本体１及び突起部２を収縮させることで中空部材１０は容易に取り外しが可能であり、また本体１及び突起部２は弾性体であるから収縮させたのみでは塑性変形が起こりにくく、再度取り付ける場合にも一旦使用した中空部材１０を再利用して、材料を節減することができる。
【００１９】
また突起部２は、図４に示す如き形状のものとしてもよい。図４は図３のイ）と同じ視点からの断面図であるが、イ）に示す如く、突起部２を断面二等辺三角形状として上下両側を傾斜面とすることで、中空部材１０を取り外す際に、中子体７を外して上方に引っ張るだけで取り外しが可能となる。またロ）に示す如く、突起部２を断面半円形状として上下方向に円弧状とすることで、イ）と同じく上方に引っ張るだけで取り外しが可能となり、また鋭利な形状の箇所をなくして挿通又は取り外しの際に発せられる不快な音を低減すると共に取付孔５１及び６１の内面を傷つける度合いを少なくできる。
【００２０】
また、図３のハ）に示す中子体の挿入時において、図５に示す如きボルト受け金具を用いてもよい。図５はボルト受け金具の一例を示すもので、イ）はボルト受け金具の斜視図、ロ）はボルト受け金具を用いた中空部材１０の取り付けを示す断面図である。まずイ）において、ボルト受け金具２０は下方に開口した断面コ字状のもので、上面２０１に中子体７が挿通可能な長孔のボルト孔２０２が穿設されている。上面２０１は、上面の両端に設けられた脚部２０３によって、上面２０１と取付対象物との距離がおかれるようになされている。
【００２１】
本図ロ）は、図３のハ）と同じ視点での断面図であるが、ボルト受け金具２０の上面２０１からワッシャーＷを介してボルトである中子体７がボルト孔２０２に挿通され、更に中子体７は中空部材１０の中空部４のねじ山４１に螺着されて第一板状部５及び第二板状部６が固定される。ここでボルト受け金具２０の脚部２０３と鍔部３の面取り部３１が当接され、且つボルト受け金具２０が脚部２０３により取付対象物である第二板状部６に当接されていることで、中空部材１０の共回りを防いで中子体７の螺着することができ、とりわけ中子体７の締め込み時に高い締め込みトルクを掛けることができるようになる。更には、上面２０１が取付対象物と距離がおかれていることで、取付孔５０１及び６０１が奥まった場所に位置され、面取り部３１にスパナ等をあてがうのが困難である場合でも、中子体７の螺着は容易なものとなり得る。
【図面の簡単な説明】
【００２２】
【図１】本発明に係わる防音壁用部材取付金具を構成する中空部材の一例を示す説明図である。
【図２】本発明に係わる防音壁用部材取付金具が適用される防音壁面及び部材を示す説明図である。
【図３】本発明に係わる防音壁用部材取付金具の取り付けを説明する断面図である。
【図４】本発明に係わる防音壁用部材取付金具を構成する中空部材の他の例を示す断面図である。
【図５】本発明に係わる防音壁用部材取付金具を構成するボルト受け金具の一例を示す説明図である。
【符号の説明】
【００２３】
１    本体
２    突起部
３    鍔部
３１  面取り部
４    中空部
４１  ねじ山
５    第一板状部
６    第二板状部
７    中子体
１０  中空部材
２０  ボルト受け金具
１００  防音壁用部材取付金具
Ｐ    防音パネル
Ｈ    視線誘導標識
【図１】
2005248598.tif 000002
【図２】
2005248598.tif 000003
【図３】
2005248598.tif 000004
【図４】
2005248598.tif 000005
【図５】
2005248598.tif 000006